(57)【要約】      （修正有）【課題】一時的に使用するウォーターサーバーとして、使用しやすく、かつ、飲料水ボトルの形状・寸法等について自由度の高いものを提供する。【解決手段】飲料水ボトル１０が段ボール箱１の一部によって支持されるウォーターサーバーであって、飲料水ボトルの注出口に蛇口１３が取り付けられているとともに、段ボール箱における縦向きの板紙に、注出口を斜め下方にして飲料水ボトルが載せられるよう、飲料水ボトルの表面形状に応じた切除部３ａ・３ｂ・３ｃが形成されている。飲料水ボトルの胴部１１が円筒形状であり、段ボール箱における切除部として、飲料水ボトルの胴部の側面に沿う第一の曲線部分と、飲料水ボトルの注出口へ至る断面縮小部分１２の側面に沿う、第一の曲線部分よりも曲率半径の小さい第二の曲線部分とが形成されているのが好ましい。【選択図】図１
0003197526.tif 000002
【実用新案登録請求の範囲】
【請求項１】
飲料水ボトルが段ボール箱の一部によって支持されるウォーターサーバーであって、
飲料水ボトルの注出口に蛇口が取り付けられているとともに、
段ボール箱における縦向きの板紙に、上記注出口を斜め下方にして飲料水ボトルが載せられるよう、飲料水ボトルの表面形状に応じた切除部が形成されている
ことを特徴とするウォーターサーバー。
【請求項２】
上記飲料水ボトルの胴部が円筒形状であり、
上記段ボール箱における切除部として、飲料水ボトルの胴部の側面に沿う第一の曲線部分と、飲料水ボトルの注出口へ至る断面縮小部分の側面に沿う、上記第一の曲線部分よりも曲率半径の小さい第二の曲線部分とが形成されている
ことを特徴とする請求項１に記載のウォーターサーバー。
【請求項３】
上記段ボール箱が、上記切除部を形成される前は上記飲料水ボトルを収容する直方体形状のものであり、上記切除部の形成を容易にする切断線を有するものであることを特徴とする請求項１または２に記載のウォーターサーバー。
【請求項４】
上記段ボール箱の一部であって上記切除部として取り除かれた部分が、飲料水ボトルを載せるためには使用されないことを特徴とする請求項１〜３のいずれかに記載のウォーターサーバー。
【請求項５】
上記飲料水ボトルのうち胴部の長さが、その幅または直径よりも長いものであることを特徴とする請求項１〜３のいずれかに記載のウォーターサーバー。
【考案の詳細な説明】
【技術分野】
【０００１】
本考案は、飲料水ボトルを載せる専用の支持架台がなくてもボトル内の飲料水を供給することができる簡易な構成のウォーターサーバーに関するものである。
【背景技術】
【０００２】
オフィスや家庭等に設置されて飲料水を供給する一般的なウォーターサーバーは、飲料水の入ったボトルを専用の支持架台に取り付ける構造のものである。たとえば図５のように、支持架台１’の上部に飲料水ボトル１０’を取り付け、架台１’に設けられた操作レバー付きの注ぎ口１ａ’から飲料水を注ぎ出すようになっている。支持架台1’は金属や硬質プラスチック等でできていて、長期間使用することができる。内部に設けられたタンク内で、飲料水を加熱または冷却できるものが一般的である。なお、その図５は、下記の特許文献１に記載されたウォーターサーバーを示している。
【０００３】
一方、特許文献２には、専用の支持架台を使用しないウォーターサーバーが記載されている。すなわち図６のように、飲料水ボトル１０”を収容していた梱包用の段ボール箱１”の一部をボトル１０”の支持架台とするものである。具体的には、段ボール箱１”を切断線に沿って上部と下部３”とに分割し、その上部を、ボトル１０”を載せる台として段ボール箱の下部３”内に入れ、その台の上に、図示のように斜めにした状態に飲料水ボトル１０”を置く。ボトル１０”の給水口には蛇口１３”を取り付けておいて、飲料水の供給・停止を操作する。
【先行技術文献】
【特許文献】
【０００４】
【特許文献１】特開２０１４−３１２１１号公報
【特許文献２】特開２０１３−４３６９５号公報
【考案の概要】
【考案が解決しようとする課題】
【０００５】
特許文献１（図５）に記載のような形式のウォーターサーバーは、長期間の使用が予定されている場合に都合のよいものであり、広く普及している。しかし、飲料水が緊急に必要になった場合等に一時的に使おうとするウォーターサーバーとしては、コストが高く、また、配送等に時間がかかって緊急の用途に間に合わない可能性がある。
【０００６】
特許文献２（図６）に記載のものは、一時的に使用するウォーターサーバーとして好ましいが、下記の点では改善の余地がある。すなわち、
a)  ボトルを載せるための台を段ボール箱の上部から作ることが、必ずしも容易ではない。段ボール箱の下部から切り離した上部は、縦・横の寸法が下部と同じであってそのままでは下部の内側に入らないため、折り曲げたりカットしたりする必要がある。
b)  図６のように段ボール箱の下部の内側にボトルがすっぽりと収まって安定する必要があるため、ボトルの形状や寸法に制約がある。つまり、容器部分の長さ（深さ）が段ボール箱の横断面寸法（縦または横の寸法）よりも小さく、また、上記架台の上で転がらない四角形等の断面をもつボトルでなければならない。
【０００７】
本考案は、上記のような課題を解決することを目的に、一時的に使用するウォーターサーバーとしてさらに使用しやすく、かつ、飲料水ボトルの形状等について自由度の高いものを提供するものである。
【課題を解決するための手段】
【０００８】
本考案は、飲料水ボトルが段ボール箱の一部によって支持されるウォーターサーバーであって、
・  飲料水ボトルの注出口に蛇口（コックまたは他の開閉弁）が取り付けられているとともに、
・  段ボール箱における縦向きの板紙に、上記注出口を斜め下方にして飲料水ボトルが載せられるよう、飲料水ボトルの表面形状に応じた切除部が形成されている
ことを特徴とするものである。
つまり、本考案のウォーターサーバーにおいては、たとえば図１のように飲料水ボトルが段ボール箱の一部によって斜めに支持される。なお、上記の切除部とは、段ボールの一部が取り除かれた部分をさし、切除されることによってボトルの形状に応じた凹部または孔部が形成された部分をいう。切除部として、たとえば、図４のように２枚の板紙のそれぞれに楕円の円弧が形成され、または、大小二つの楕円状の孔（図示省略）が形成されるとよい。
【０００９】
上記考案のウォーターサーバーは、金属やプラスチックでできた専用の支持架台ではなく段ボール箱の一部にて飲料水ボトルが支持されるものであるため、低コストで構成されるうえ手配が容易であり、飲料水の緊急の供給手段等として一時的に使用するのにきわめて適している。
飲料水ボトルは、段ボール箱における縦向きの板紙によって支持される。縦向きの板紙には、たとえば図４のような切除部３ａ・３ｃ等が形成されており、飲料水ボトルはその切除部の上縁に載せられることにより、注出口を下方にして斜めに支持される。形成された切除部は飲料水ボトルの表面形状に応じた形のものであるため、そこに載せられた飲料水ボトルは、左右に転がるなどせずに安定した状態に保たれる。
また、斜め下方に位置する注出口には蛇口（コック）が取り付けられているため、利用者はその蛇口を操作することによってボトル内の飲料水を任意に注ぎ出すことができる。
【００１０】
上記考案のウォーターサーバーについては、とくに、上記飲料水ボトルの胴部が円筒形状であり、上記段ボール箱における切除部として、飲料水ボトルの胴部の側面に沿う第一の曲線部分と、飲料水ボトルの注出口へ至る断面縮小部分（胴部よりも小径の部分）の側面に沿う、上記第一の曲線部分よりも曲率半径の小さい第二の曲線部分とが形成されているものであると好ましい。
図１〜図４はそのような場合を例示したもので、縦向きの板紙における切除部３ａ・３ｂとして、飲料水ボトルの胴部の側面に沿う第一の曲線部分（３ａ）と、飲料水ボトルの注出口へ至る断面縮小部分の側面に沿う、上記第一の曲線部分よりも曲率半径の小さい第二の曲線部分（３ｃ）とが形成されている。
飲料水ボトルとしては胴部が円筒形状のものが最も普及しているため、ウォーターサーバーは、このように構成するのが一般的であり、製造コストの面でも有利である。
一方の切除部である第二の曲線部分は、飲料水ボトルの注出口へ至る断面縮小部分の側面に沿うものである。そのため、このウォーターサーバーでは、図１のように斜めに支持される飲料水ボトルが下方へずり下がることを防止できる利点がある。
【００１１】
また、上記段ボール箱が、上記切除部を形成される前は上記飲料水ボトルを収容する（つまり包装用の）直方体形状のものであり、上記切除部の形成を容易にする切断線（ミシン目など）を縦向きの板紙部分に有するものであると、とくに好ましい。
図２・図４に示す段ボール箱はそのような特徴を有するものの一例であり、飲料水ボトルを収容し梱包する直方体形状のものである。このような段ボール箱を利用するのであれば、飲料水ボトルを載せるための段ボール箱をわざわざ用意する必要がない。切断線に沿って上記のような切除部（図４参照）を形成することも容易であるため、飲料水ボトルを載せたウォーターサーバーを構成することが、女性や子供等にも容易に行える。
【００１２】
上記段ボール箱の一部であって上記切除部として取り除かれた部分（段ボール箱の上部等）が、飲料水ボトルを載せるためには使用されないものであると、有利である。
取り除かれた部分を、飲料水ボトルを載せる（つまりボトルの重量を支える）台として使用することも、できないわけではない。しかし、そのような台を構成するには、取り除かれた部分の段ボールを、切除部を形成した下部の板紙の間に配置できるとともに飲料水ボトルが載せられる適切な高さを有する台に加工する必要があり、容易ではない。そのため、そのような台を使用しなくとも飲料水ボトルを支持できるように板紙の厚み等を設定しておく方が、取り扱いやすいうえコストも低廉になる。
【００１３】
考案のウォーターサーバーにおいては、上記飲料水ボトルのうち胴部（注出口とそれに至る断面縮小部分とを除く部分）の長さ（胴部の深さに相当）が、その幅または直径よりも長いものであるとよい。
飲料水ボトルの胴部の長さが同ボトルの幅または直径よりも長いと、段ボール箱の板紙（の切除部）の上に同ボトルを載せて図１のように支持することが容易である。とくに、上述のように飲料水ボトルを収容する段ボール箱によってそのボトルを支持させようとする場合には、当該段ボール箱の各板紙の間隔は同ボトルの胴部の幅または直径の寸法と概ね等しいため、同ボトルの胴部の長さがその幅または直径よりも長くなければ、段ボール箱の板紙間に同ボトルを支持することが難しい場合がある。
しかし、飲料水ボトルにおいて胴部の長さがその幅または直径よりも長いことはきわめて一般的なことであるため、上記のように長さ等を設定することが飲料水ボトルの形状や寸法に格別の制約を課すことにはならない。
【考案の効果】
【００１４】
考案のウォーターサーバーは、段ボール箱の一部にて飲料水ボトルが支持されるものであるため、飲料水の緊急の供給手段として一時的に使用するのにきわめて好適である。また、段ボール箱における縦向きの板紙に形成された切除部に載せられることによって飲料水ボトルが支持されることから、同ボトルを載せる特別な台を用意することなく、安定した状態に同ボトルを支持することができる。斜めに載せる飲料水ボトルの胴部が段ボール箱内に収まる必要がないので、同ボトルの形状や寸法について自由度が高いということもできる。
【図面の簡単な説明】
【００１５】
【図１】考案の一例としてのウォーターサーバーを示す側面図である。
【図２】図１のウォーターサーバーを構成するための、飲料水ボトルを収容した段ボール箱１の側面図である。
【図３】飲料水ボトル１０が入った図２の段ボール箱１から、切断線に沿って上部を取り除いた状態を示す斜視図である。
【図４】図３のとおり上部が取り除かれた状態の、段ボール箱１の下部３を示す斜視図である。
【図５】特許文献１に記載されている従来のウォーターサーバーを示す正面図である（図(Ａ)および図(Ｂ)）。
【図６】特許文献２に記載されている従来のウォーターサーバーを示す斜視図である。
【考案を実施するための形態】
【００１６】
図１〜図４に考案の一実施形態を示す。
考案によるウォーターサーバーは、図１に示すように段ボール箱１の下部３の上に飲料水ボトル１０を載せ、その状態で、蛇口１３を操作することによりボトル１０内の飲料水をコップ等に供給できるようにしたものである。
【００１７】
飲料水ボトル１０は、底部を有する円筒状の胴部１１が断面縮小部分１２を経て注出口へ続く形状を有するプラスチック製のものである。胴部１１は直径よりも胴長が長い縦長の形状を有し、内容量は８リットルである。注出口には、指でつまんで開閉操作することのできる蛇口１３が取り付けられている。
【００１８】
飲料水ボトル１０を載せている段ボール箱１は、飲料水の入ったそのボトル１０を収容する包装用の箱であり、図１のように使用する前は、図２に示す直方体のボックス状のものである。段ボール箱１の内側の寸法は、縦・横とも飲料水ボトル１０の胴部１１の直径よりも数ｍｍ大きい程度である。
段ボール箱１の側壁を構成する縦向きの板紙には、切れ目が間欠的に入れられた切断線（いわゆるミシン目）１ａが形成されていて、それに沿って板紙を切断することにより段ボール箱１が上部２と下部３とに分断されるようになっている。
【００１９】
切断線１ａに沿って段ボール箱１を分断し、その上部２を取り除くと、図３のように段ボール箱１は下部３のみとなり、飲料水ボトル１０の上部（胴部１１の上部と断面縮小部分１２および蛇口１３）が剥き出しになる。
【００２０】
図３に示す段ボール箱１は上部２が取り除かれていて、図４の形状を有する下部３のみとなっている。その下部３の上縁部には、切断線１ａ（図２）に沿って上部２が取り除かれたことにより切除部３ａ・３ｂ・３ｃが形成されている。これらの切除部は、図１のように蛇口１３（注出口）を下にして飲料水ボトル１０を斜めに載せるための切り欠きである。そのため、切除部３ａは、飲料水ボトル１０の胴部１１の側面に沿う楕円状（楕円の円弧を含む）曲線（第一の曲線部分）を有している。また切除部３ｃは、切除部３ａを有する板紙と対向する位置にある板紙において飲料水ボトル１０の断面縮小部分１２の側面に沿う比較的小径の楕円状（楕円の円弧を含む）曲線（第二の曲線部分）を有し、切除部３ａよりも下方に位置している。そして切除部３ｂは、切除部３ａ・３ｂを有する板紙とは別の２枚の板紙において、切除部３ａ・３ｂをつなぐよう傾斜した直線状に形成されている。
【００２１】
図４に示す段ボール箱１の下部３に、上記の切除部３ａ・３ｃに接するよう飲料水ボトル１０を載せると、図１のように、短期間の使用に適した簡易のウォーターサーバーができあがる。段ボール箱１の縦向きの板紙として十分な強度のものが使用されているなら、先に取り除いた上部２を飲料水ボトル１０の支持用に使用する必要はない。切除部３ｃは小径の切り欠きであって胴部１１の径よりも小さいので、斜めにされた飲料水ボトル１０がずり下がることがない。
図１の状態で蛇口１３を操作すれば、ボトル１０内の常温（室温）の飲料水を注ぎ出すことができる。コップ等でその飲料水を受けることにより、飲んだり、料理等に使用したりすることが可能である。
【００２２】
なお、本考案は、図示以外の形態によっても実施することができる。たとえば、つぎのようにすることも可能である。
a)  段ボール箱１は、上部を取り除くのではなく、飲料水ボトル１０の胴部１１や断面縮小部分１２を挿入できてそれらの表面に接する形状および大きさを有する楕円形の孔をあけ、それらを切除部とするのもよい。
b)  飲料水ボトル１０（の胴部１１等）が円筒形でない場合には、切除部を、楕円状の曲線を含むものでなく、その胴部や断面縮小部分の形に合う形状に形成するとよい。
【符号の説明】
【００２３】
１  段ボール箱
１ａ  切断線
２  （段ボール箱１の）上部
３  （段ボール箱１の）下部
３ａ・３ｂ・３ｃ  切除部
１０  飲料水ボトル
１１  胴部
１２  断面縮小部分
１３  蛇口
【図１】
0003197526.tif 000003
【図２】
0003197526.tif 000004
【図３】
0003197526.tif 000005
【図４】
0003197526.tif 000006
【図５】
0003197526.tif 000007
【図６】
0003197526.tif 000008